(57)【要約】本発明は、邪気スタンドに関する。ジャッキスタンドはベースを含む。複合材料から成るポストは、ベースから延在する。ジャッキスタンドはまた、ポストの上位に位置して、負荷と係合するための頂部を含む。有利なことに、ポストは軽量（一般的には１２kg未満）であり、人を重大な危険のリスクに晒すことなく、一人で簡単にジャッキスタンドを動かすことが出来る。ジャッキスタンドは全体的または部分的に動かされる。【選択図】図１
2019513660.tif 000002
【特許請求の範囲】
【請求項１】
ベースと、
複合材料から成り、ベースから延びるポストと、
ポストの上位にあり負荷と係合するための頂部とを含む、ジャッキスタンド。
【請求項２】
ポストは１２kg未満であり、人を重大な危険のリスクに晒すことなく、一人で簡単に動かすことが出来る、請求項１に記載のジャッキスタンド。
【請求項３】
部分的に動かすことが可能な、請求項１に記載のジャッキスタンド。
【請求項４】
複合材料は、高分子樹脂及び繊維を含む、請求項１に記載のジャッキスタンド。
【請求項５】
繊維は、１以上のガラス繊維、炭素繊維及びアラミド繊維を含む、請求項４に記載のジャッキスタンド。
【請求項６】
複合材料は、引き抜き成形法にて成形される、請求項１に記載のジャッキスタンド。
【請求項７】
複合材料は、繊維をポストに沿って長手方向以外の方向に整列させ、圧縮強度を改善するためのマッティング材を含む、請求項１に記載のジャッキスタンド。
【請求項８】
複合材料は、ポストの周りに巻き付いて圧縮強度を高める強化繊維を含む、請求項１に記載のジャッキスタンド。
【請求項９】
強化繊維は、ポストに沿って時計方向と反時計方向に別々に巻き付いて、圧縮強度を更に改善する、請求項８に記載のジャッキスタンド。
【請求項１０】
ポストは管状である、請求項１に記載のジャッキスタンド。
【請求項１１】
ポストは、少なくとも１２トン又は３０トンまで耐えると見積もられる、請求項１に記載のジャッキスタンド。
【請求項１２】
ポストは１つの壁又は互いに結合される２つ以上の壁を有する、請求項１に記載のジャッキスタンド。
【請求項１３】
ポストは、湾曲した壁及び四角形の壁を含む、請求項１に記載のジャッキスタンド。
【請求項１４】
ベースはポストより広くて、負荷の荷重を分散する、請求項１に記載のジャッキスタンド。
【請求項１５】
ベースはポストを受け入れるための受け部を規定する、請求項１に記載のジャッキスタンド。
【請求項１６】
受け部は異なる形状の外壁及び内壁を含み、ポストと相補的な嵌合を形成する、請求項１５に記載のジャッキスタンド。
【請求項１７】
ベースはそこから受け部が延びる板を含む、請求項１５に記載のジャッキスタンド。
【請求項１８】
ベースは、受け部と板との間に延びる１つ以上の強化フィレットを更に含む、請求項１７に記載のジャッキスタンド。
【請求項１９】
頂部はポストを受け入れるための受け部を規定する、請求項１に記載のジャッキスタンド。
【請求項２０】
頂部は、負荷を受け且つ負荷に接する受け台を規定する、請求項１に記載のジャッキスタンド。
【請求項２１】
頂部は、ポストを捕捉するためのキャップを含むことができる、請求項１に記載のジャッキスタンド。
【請求項２２】
ベース及び/又は頂部は、鋼又は合金が好ましい金属材料を含む、請求項１に記載のジャッキスタンド。
【請求項２３】
更に、ポストに固定されるハンドルを含む、請求項１に記載のジャッキスタンド。
【請求項２４】
ジャッキスタンドアセンブリであって、
少なくとも１つのジャッキスタンドと、
各ジャッキスタンドから上向きに延びる少なくとも１つの直立材と、
該直立材によって支持されたアクセサリを含む、ジャッキスタンドアセンブリ。
【請求項２５】
直立材は長さが調整可能である、請求項２４に記載のジャッキスタンドアセンブリ。
【請求項２６】
直立材は、ジャッキスタンドのポストに受け入れられる、請求項２４に記載のジャッキスタンドアセンブリ。
【請求項２７】
更に、ジャッキスタンドのベースに直立材を締結するための締結装置を含む、請求項２４に記載のジャッキスタンドアセンブリ。
【請求項２８】
ジャッキスタンドに対する直立材の回転を阻止するための回転防止具を含む、請求項２４に記載のジャッキスタンドアセンブリ。
【請求項２９】
アクセサリは、プラットフォーム、ローラ、ホルダの何れか１つを含む、請求項２４に記載のジャッキスタンドアセンブリ。
【請求項３０】
複合材料から成るジャッキスタンドポスト。
【請求項３１】
ジャッキスタンドを製造する方法であって、
複合材料から成るポストを形成するステップを含む、方法。
【請求項３２】
形成するステップは、加熱されたダイ中で繊維及び液体ポリマー樹脂材料を引き抜いて複合材料を形成する、請求項３１に記載の方法。
【請求項３３】
形成するステップは、マッティング材を導入して、複合材料の繊維をポストに沿った長手方向以外の方向に整列させて圧縮強度を向上させる、請求項３１に記載の方法。
【請求項３４】
形成するステップは、強化繊維をポストの周りに巻き付けて圧縮強度を改善するステップを含む、請求項３１に記載の方法。
【請求項３５】
強化繊維はポストに沿って時計方向と反時計方向に別々に巻き付いて、圧縮強度を更に改善する、請求項３４に記載の方法。
【発明の詳細な説明】
【技術分野】
【０００１】
本発明は、軽量のジャッキスタンドに関する。本発明は、排他するものではないが、特に土木、トラック、鉱業および建設分野において、車両、設備、機械および他の同様の重い負荷（少なくとも３０トンまで）を支持するための重工業用ジャッキスタンドに関する。
【背景技術】
【０００２】
本明細書中の何れかの先行技術への言及は、先行技術が共通の一般知識の一部を形成することの承認または任意の提案形式ではなく、且つ解釈されるべきではない。
【０００３】
ジャッキスタンドは、メンテナンスのためにジャッキまたは他の手段によって持ち上げられた重鉱山用トラックを安全に支持するために一般的に使用される。
【０００４】
公知のジャッキスタンドは、鉄鋼などの金属部品から形成され、トラックの重量を維持する。言い換えると、ジャッキスタンド自体は非常に重いため、移動するのが面倒である。実際には、複数の人が安全に持ち上げてジャッキスタンドを定位置に配置する必要があり、望ましからぬ怪我の危険がある。或いは、フォークリフトまたはローダーがジャッキスタンドを持ち上げて位置決めするために使用され、より安全であるが、しばしばあまり便利でなく、より高価で、より遅く、生産性が低い。
【０００５】
安全で便利な方法で手動で動かすことができるが、依然として必要な負荷を安全に支持できる軽量のジャッキスタンドに対するニーズがある。
【発明の概要】
【０００６】
本発明の一態様に従って、
ベースと、
複合材料から成り、ベースから延在するポストと、
ポストの上位に位置して、負荷と係合するための頂部とを含むジャッキスタンドが提供される。
【０００７】
有利なことに、ポストは軽量（一般的には１２kg未満）であり、人を重大な危険のリスクに晒すことなく、一人で簡単にジャッキスタンドを動かすことが出来る。ジャッキスタンドは全体的または部分的に動かされる。
【０００８】
複合材料は、高分子樹脂材料および高強度繊維を含み得る。繊維材料としては、ガラス繊維、炭素繊維、アラミド繊維等が挙げられる。複合材料は、引き抜き成形プロセスによって形成され得る。複合材料は、繊維をポストに沿って長手方向以外の方向に整列させ、圧縮強度を改善するためのマッティング材を含み得る。複合材料は、圧縮強度を改善するためにポストの周りに巻かれた強化繊維をさらに含む。強化繊維は、圧縮強度をさらに向上させるために、ポストに沿って時計回りおよび反時計回りの両方向に別々に巻かれてもよい。
【０００９】
ポストは管状である。ポストは少なくとも１２トンまで耐えると見積もられる(rated up)。ポストは１つの壁を有する。ポストは１２トンまで耐えると見積もられる。或いは、ポストは２以上の壁を有する。ポストは３０トンまで耐えると見積もられる。壁は互いに結合される。ポストは湾曲した(例えば、円形)壁及び四角形(例えば、矩形)の壁を含む。
【００１０】
ベースはポストより広くて、負荷の荷重を分散する。ベースはポストを受け入れるための受け部を規定する。受け部は異なる形状の外壁及び内壁を含み、ポストと相補的な嵌合を形成する。ベースはそこから受け部が延びる板を含む。ベースは、受け部と板との間に延びる１つ以上の強化フィレットをさらに含む。
【００１１】
頂部はポストを受け入れるための受け部を規定する。頂部は、負荷を受け且つ負荷に接する受け台を規定する。頂部は、ポストを捕捉するためのキャップを含むことができる。
【００１２】
ベース及び/又は頂部は、鋼又は合金が好ましい金属材料を含み得る。
【００１３】
ジャッキスタンドは、ポストに固定されるハンドルを含む。
【００１４】
本発明の他の態様に従って、
少なくとも１つのジャッキスタンドと、
各ジャッキスタンドから上向きに延びる少なくとも１つの直立材と、
該直立材によって支持されたアクセサリを含む、ジャッキスタンドアセンブリが提供される。
【００１５】
直立材は調整可能である。直立材は、互いに対して摺動可能な一対のチューブを含む。ジャッキスタンドアセンブリは、チューブを互いに固定するための締結具を含むことができる。
【００１６】
直立材は、ジャッキスタンドのポストに受け入れられる。ジャッキスタンドアセンブリは、ジャッキスタンドのベースに直立材を締結するための締結装置を含む。締結装置は、ベース内に挿入するための保持具と、保持具を通過して直立材のネジ山と係合するためのネジ付き保持具とを含む。保持具は、１つ以上の隆起がベース内に延びる板を含む。直立材は、ネジを規定する床部(floor)を含み得る。
【００１７】
ジャッキスタンドアセンブリは、ジャッキスタンド内の直立材の回転を阻止するための回転防止具を含む。回転防止具は、ジャッキスタンド及び直立材を通過するピンを含む。アクセサリは直立材に締結するための締結具を含む。
【００１８】
アクセサリは、ケーブルまたはホースを支持するためのプラットフォームを含む。アクセサリは、機械に供給される材料を支持するための１以上のローラを含む。アクセサリは対象物を保持するホルダを含む。ホルダは、ボートの船体を保持するための一対の傾斜ローラを含む。
【００１９】
本発明の他の態様に従って、複合材料から成るジャッキスタンドポストが提供される。
【００２０】
本発明の他の態様に従って、ジャッキスタンドを製造する方法が提供され、該方法は複合材料からポストを形成するステップを含む。
【００２１】
形成するステップは、加熱されたダイ中で繊維及び液体ポリマー樹脂材料を引き抜いて複合材料を形成するステップを含む。
【００２２】
形成するステップは、マッティング材を導入して、複合材料の繊維をポストに沿った長手方向以外の方向に整列させて圧縮強度を向上させるステップを含む。
【００２３】
形成するステップは、強化繊維をポストの周りに巻き付けて圧縮強度を改善するステップを含む。強化繊維はポストに沿って時計方向と反時計方向に別々に巻き付いて、圧縮強度を更に改善する。
【００２４】
本明細書に記載された特徴のいずれかは、本発明の範囲内で本明細書に記載される任意の１つ以上の他の特徴と任意で組み合わせることができる。
【図面の簡単な説明】
【００２５】
本発明の好ましい特徴、実施形態および変形は、当業者が本発明を実施するのに十分な情報を提供する以下の詳細な説明から明らかになるであろう。発明を実施するための最良の形態は、本発明の前述の要旨の範囲を決して限定するものではない。詳細な説明は、以下のような多数の図面を参照する。
【図１】図１は、本発明の一実施形態による１２トンのジャッキスタンドの斜視図である
【図２】図２は、図１のジャッキスタンドの断面斜視図である。
【図３】図３は、本発明の別の実施形態による３０トンのジャッキスタンドの断面斜視図である
【図４】図４は、図３のジャッキスタンドのベースの斜視上面図である。
【図５】図５は、図３のジャッキスタンドを含むジャッキスタンドアセンブリの斜視図である。
【図６】図６は、図５のジャッキスタンドアセンブリの一部の断面斜視図である。
【図７】図７は、図５のジャッキスタンドアセンブリを示す下側斜視図である。
【図８】図８は、ジャッキスタンド及びアクセサリ取付けブラケットの斜視図である。
【発明を実施するための形態】
【００２６】
本発明の一実施形態に従って、図１に示すように、産業用の頑丈な１２トン(１２トン)のジャッキスタンド100が提供されている。スタンド100は、地面に置くためのベース102を含む。複合材料から成るポスト104が設けられ、該ポストはベース102から上方に延びている。ジャッキスタンド100は、ポスト104の上位に位置し、車両(負荷)と係合するための頂部106をさらに含む。
【００２７】
有利なことに、ポストは軽量（一般的にには１２kg未満）であり、人を重大な危険のリスクに晒すことなく、一人で簡単にジャッキスタンドを動かすことが出来る。ジャッキスタンドは全体的または部分的に動かされる。
【００２８】
図２に戻り、ポスト104は四角形で管状の１つの壁201を有しているが、１２トン(安全係数は３倍)を維持することはまだゆとりがある(comfortable)と評価されている。
【００２９】
ベース102はポスト104より広くて、負荷の荷重を分散して、ポストの高さに比して安定性を付与する。更に、ベース102は、無限の正方形のチャネルの形態の受け部200を規定し、ポスト104の下端を相補的に受け入れる。ベース102はまた、受け部200が延びる平坦な板202を含む。強化フィレット204は、受け部200と板202との間に延在する。
【００３０】
頂部106は、またポスト104の上端部を受け入れる受け部206を規定する。実際には、頂部106は、ポスト104をぴったりと取り付けるための環状キャップを規定する。頂部106は、車両の車軸を受け入れるための頂部の受け台208を規定する。頂部106は、車両/機械の平らな下面またはそのシャーシレール上で使用するための平坦な部分である。
【００３１】
ベース102と頂部106は、金属材料、好ましくは鋼又は合金から鋳造される。
【００３２】
ポスト104の複合材料は引き抜き成形され、ポリマー樹脂材料及び繊維を含む。複合材料はまた、圧縮強度を改善するために、ポストに沿って長手方向以外の方向で繊維を整列させるためのマッティング材(matting)を含む。複合材料は、ポストの周りに巻き付いて圧縮強度を高める強化繊維を含む。強化繊維は、圧縮強度をさらに向上させるために、ポストに沿って時計回りおよび反時計回りの両方向に別々に巻かれてもよい。前述の構造は、工業上の重い負荷に耐えるのに十分な強度の軽量のジャッキスタンド100を提供する。
【００３３】
軽量かつ強度の高い複合材料から成るポスト104を備えたジャッキスタンド100の製造方法を簡単に説明する。
【００３４】
ポスト104は、複合材料を形成する繊維およびポリマー材料を引き抜き成形することによって形成される。引き抜き成形は、連続的な成形プロセスであり、強化繊維を液体ポリマー樹脂で飽和させ、その後注意深く成形し、加熱したダイを通して引き抜き、均一な複合部品を形成する。引抜成形による部品または要素の製造は、実質的に任意の所望長さで直線状の一定の断面部分をもたらす結果となる。液体ポリマー樹脂は、加熱されたダイ中で成形前又は成形中に構造繊維のマトリックス(基質、matrix)に添加される。
【００３５】
従来の引き抜き工程は、通常、非常に長い強化繊維または編組ストランドを利用する。強化繊維は、ガラス繊維、炭素繊維又はアラミド繊維を含む。ストランドはコイル状のロール（しばしばロービングと呼ばれる）から展開され、プリフォーム、樹脂含浸および固定型のダイシステムに長手方向に引き込まれる。
【００３６】
前述の引き抜き工程によって製造された複合材料は、引張り荷重に耐えるには優れた重量特性を有するが、圧縮荷重に耐えるには重量特性に対して相対的に劣る強度を有する。これは、複合構造マトリックス内に含まれる強化繊維の例外的な引張り荷重を有する材料特性に起因する。
【００３７】
ポスト104を形成するステップは、得られるポスト104の構造繊維マトリックスに織り強化繊維のマッティング材(matting)を導入して、複合材料の繊維を細長いポスト104に沿って長手方向以外の方向に整列させ、圧縮強度を改善するステップを含む。得られる製品は、長手方向の繊維方向以外の形態を有さない製品と比較して、圧縮力に抵抗する能力が増大する。何故ならば、これらの繊維は、ある程度の引張り荷重の下に配置されるからである。マッティング材は、複合材料から成る本体内および/または表面材として導入され、引き抜き成形工程で構造繊維のマトリックスを結合および包囲する。表面材は製品の構造的能力に寄与するが、より重要なことは、完成品に対して滑らかな許容可能な仕上げが達成されることを保証することである。
【００３８】
ポスト104を形成するステップは、複合材料の周囲に強化繊維を巻き付け、圧縮強度を向上させるステップを更に含む。更なる強化繊維は、ポスト104の長手方向軸に沿って複合材料の周りに軸方向に巻き付けられ、従って縦方向繊維および織りマッティング材の周りに巻き付けられ、圧縮荷重に耐えるポスト104の能力を著しく高めることができる。
【００３９】
強化繊維は、圧縮強度をさらに向上させるために、ポスト104に沿って時計回りおよび反時計回りの両方向に別々に巻かれてもよい。巻かれた繊維は、マトリックスに撚り合わせられて、複数の負荷軸に広範囲の引張り負荷容量を提供する。
【００４０】
引き抜き繊維マトリックスへの強化繊維の巻き付けは、コイル状強化繊維ロービング(rovings)を保持する大きな回転フレームを用いて行うことができる。各ロービングは、長手方向の引き抜き工程の流量に対して所望の回転速度で回転し、回転方向に回転して、所望の軸方向の巻き繊維および繊維構造の密度を達成する。連続的に回転するフレームは、巻き繊維の異なる向きを達成するために逆回転することができる。
【００４１】
このような方法で製造された複合材料の製品は、このような方法で製造されていない従来の製造された製品と比較して、圧縮荷重に耐える能力が実質的に改善される。このような製品は、円形、四角形、長方形または角形を含み、寸法が異なる任意の形状であり得る。
【００４２】
適切なレベルの圧縮負荷抵抗性を達成することができる引き抜き成形による複合材料の製品の製造は、耐負荷容量に比した軽量製品の固有の性質を考慮すると、工業上の使用の重要な機会を付与する。既存の鋼または合金製品と比較した場合、引抜成形された複合材料の製品を主たる負荷支持要素として組み込むことは、大きな利点を提供し得る。
【００４３】
本発明の他の実施形態に従って、図３に示すように、工業用の頑丈な３０トン（３０トン）用のジャッキスタンド300が設けられている。軽量のジャッキスタンド300は図１のジャッキスタンド100と同様の構造である。
【００４４】
しかし、直立したポスト302は、２つの壁304,306を有し、30トンまで安全に評価される（３倍の安全係数で）。特に、ポストは、円形（即ち、湾曲した）内壁304および四角形（即ち、矩形）の外壁306を含む。壁304,306は、それらの長さに沿って一緒に結合される。有利なことに、ポスト104は軽量（一般的には１５kg未満）であるので、ジャッキスタンド100は依然として便利なことに一人の人間によって移動することができる。
【００４５】
図４は、ジャッキスタンド300のベース400を示す。ベース400は、円形の内壁404および四角形の外壁406を有する受け部402を規定し、ポスト302と相補的な嵌合を形成する。ポストの壁304,306は、受け部の壁404,406間にぴったりと嵌る。
【００４６】
図５には、一対のジャッキスタンド300を含むジャッキスタンドアセンブリ500が示される。各ジャッキスタンドは、ポスト302に固定されたハンドル502を含む。ジャッキスタンドアセンブリ500は、各ジャッキスタンド300の頂部から延びる２つの調整可能で伸長可能な直立材504を含む。プラットフォームアクセサリ506は、直立材504によって支持される。
【００４７】
各直立材504は、全長を調整するために互いに対して摺動することができる一対のチューブ508a、508bを含む。アセンブリ500は、チューブ508a、508bを一定の長さで一緒に締結するためのねじ留め具510をさらに含む。
【００４８】
図６に最もよく見られるように、直立材504はジャッキスタンド300のポスト302に受け入れられる。アセンブリ500は、スタンド300のベース400に管状の直立材504を締結するための底部締結装置600をさらに含む。締結装置600は、ベース400に挿入するための保持部602を含む（図７参照）。
締結装置600はまた、保持部602を通り抜けて、直立材504の床ねじに係合するためのねじ付きねじ締結具604を含む。保持部602は、１つまたは複数の隆起がベース400内に延びる板を含む。直立材504は、床ねじを規定する床606を含む。
【００４９】
アセンブリ500は、スタンド300内の直立材504の回転を阻止する回転防止部608をさらに含む。回転防止部608は、スタンド300及び直立材504を貫通するピンを含む。カラー610が直立材504を取り囲み、ジャッキスタンドの頂部106に当接するためのストッパを形成する。
【００５０】
図８は、ジャッキスタンド300を、スタンド300と共に使用され得る様々なアクセサリとともに取り付けるためのスタンド取り付けブラケット800を示している。１つのアクセサリ506は、ケーブルまたはホースを支持するためのプラットフォームを含む。他のアクセサリ802は、切断機に供給される金属ストリップ材料を支持するための１つ以上のローラを含む。さらに別のアクセサリ804は、ボートの船体を保持するための一対の傾斜したローラを含むボートホルダを含む。各付属品は、直立材504に固定するための底部締結受け部806を含む。
【００５１】
ジャッキスタンドアセンブリ500は同様にジャッキスタンド100を使用して形成される。
【００５２】
当業者であれば、本発明の範囲から逸脱することなく、多くの実施形態および変形が可能であることを理解するであろう。
【００５３】
法律に従って、本発明は、構造的または組織的特徴に多かれ少なかれ特定の言語で記載されている。本明細書に記載された手段は、本発明を実施する好ましい形態を含むので、本発明は図示または記載された特定の特徴に限定されないことを理解されたい。
【００５４】
本明細書を通して、「一実施形態」または「実施形態」は、実施形態に関連して説明される特定の特徴、構造、または特性が本発明の少なくとも１つの実施形態に含まれることを意味する。このように、本明細書を通して様々な場所で「一実施形態では」または「実施形態で」という表現の出現は必ずしもすべて同じ実施形態を指しているわけではない。さらに、特定の特徴、構造、または特性は、１つまたは複数の組み合わせで任意の適切な方法で組み合わせることができる。
【図１】
2019513660.tif 000003
【図２】
2019513660.tif 000004
【図３】
2019513660.tif 000005
【図４】
2019513660.tif 000006
【図５】
2019513660.tif 000007
【図６】
2019513660.tif 000008
【図７】
2019513660.tif 000009
【図８】
2019513660.tif 000010
【手続補正書】
【提出日】平成30年1月3日(2018.1.3)
【手続補正１】
【補正対象書類名】明細書
【補正対象項目名】全文
【補正方法】変更
【補正の内容】
【発明の詳細な説明】
【技術分野】
【０００１】
本発明は、軽量のジャッキスタンドに関する。本発明は、排他するものではないが、特に土木、トラック、鉱業および建設分野において、車両、設備、機械および他の同様の重い負荷（少なくとも３０トンまで）を支持するための重工業用ジャッキスタンドに関する。
【背景技術】
【０００２】
本明細書中の何れかの先行技術への言及は、先行技術が共通の一般知識の一部を形成することの承認または任意の提案形式ではなく、且つ解釈されるべきではない。
【０００３】
ジャッキスタンドは、メンテナンスのためにジャッキまたは他の手段によって持ち上げられた重鉱山用トラックを安全に支持するために一般的に使用される。
【０００４】
公知のジャッキスタンドは、鉄鋼などの金属部品から形成され、トラックの重量を維持する。言い換えると、ジャッキスタンド自体は非常に重いため、移動するのが面倒である。実際には、複数の人が安全に持ち上げてジャッキスタンドを定位置に配置する必要があり、望ましからぬ怪我の危険がある。或いは、フォークリフトまたはローダーがジャッキスタンドを持ち上げて位置決めするために使用され、より安全であるが、しばしばあまり便利でなく、より高価で、より遅く、生産性が低い。
【０００５】
安全で便利な方法で手動で動かすことができるが、依然として必要な負荷を安全に支持できる軽量のジャッキスタンドに対するニーズがある。
【発明の概要】
【０００６】
本発明の一態様に従って、
ベースと、
複合材料から成り、引き抜き成形プロセスによって形成されるベースから延在するポストと、
ポストの上位に位置して、負荷と係合するための頂部とを含むジャッキスタンドが提供される。
【０００７】
有利なことに、ポストは軽量（一般的には１２kg未満）であり、人を重大な危険のリスクに晒すことなく、一人で簡単にジャッキスタンドを動かすことが出来る。ジャッキスタンドは全体的または部分的に動かされる。
【０００８】
複合材料は、高分子樹脂材料および高強度繊維を含み得る。繊維材料としては、ガラス繊維、炭素繊維、アラミド繊維等が挙げられる。複合材料は、繊維をポストに沿って長手方向以外の方向に整列させ、圧縮強度を改善するためのマッティング材を含み得る。複合材料は、圧縮強度を改善するためにポストの周りに巻かれた強化繊維をさらに含む。強化繊維は、圧縮強度をさらに向上させるために、ポストに沿って時計回りおよび反時計回りの両方向に別々に巻かれてもよい。
ポストは管状である。ポストは少なくとも１２トンまで耐えると見積もられる(rated up)。ポストは１つの壁を有する。ポストは１２トンまで耐えると見積もられる。或いは、ポストは２以上の壁を有する。ポストは３０トンまで耐えると見積もられる。壁は互いに結合される。ポストは湾曲した(例えば、円形)壁及び四角形(例えば、矩形)の壁を含む。
【０００９】
ベースはポストより広くて、負荷の荷重を分散する。ベースはポストを受け入れるための受け部を規定する。受け部は異なる形状の外壁及び内壁を含み、ポストと相補的な嵌合を形成する。ベースはそこから受け部が延びる板を含む。ベースは、受け部と板との間に延びる１つ以上の強化フィレットをさらに含む。
【００１０】
頂部はポストを受け入れるための受け部を規定する。頂部は、負荷を受け且つ負荷に接する受け台を規定する。頂部は、ポストを捕捉するためのキャップを含むことができる。
【００１１】
ベース及び/又は頂部は、鋼又は合金が好ましい金属材料を含み得る。
【００１２】
ジャッキスタンドは、ポストに固定されるハンドルを含む。
【００１３】
本発明の他の態様に従って、
少なくとも１つのジャッキスタンドと、
各ジャッキスタンドから上向きに延びる少なくとも１つの直立材と、
該直立材によって支持されたアクセサリを含む、ジャッキスタンドアセンブリが提供される。
【００１４】
直立材は調整可能である。直立材は、互いに対して摺動可能な一対のチューブを含む。ジャッキスタンドアセンブリは、チューブを互いに固定するための締結具を含むことができる。
【００１５】
直立材は、ジャッキスタンドのポストに受け入れられる。ジャッキスタンドアセンブリは、ジャッキスタンドのベースに直立材を締結するための締結装置を含む。締結装置は、ベース内に挿入するための保持具と、保持具を通過して直立材のネジ山と係合するためのネジ付き保持具とを含む。保持具は、１つ以上の隆起がベース内に延びる板を含む。直立材は、ネジを規定する床部(floor)を含み得る。
【００１６】
ジャッキスタンドアセンブリは、ジャッキスタンド内の直立材の回転を阻止するための回転防止具を含む。回転防止具は、ジャッキスタンド及び直立材を通過するピンを含む。アクセサリは直立材に締結するための締結具を含む。
【００１７】
アクセサリは、ケーブルまたはホースを支持するためのプラットフォームを含む。アクセサリは、機械に供給される材料を支持するための１以上のローラを含む。アクセサリは対象物を保持するホルダを含む。ホルダは、ボートの船体を保持するための一対の傾斜ローラを含む。
【００１８】
本発明の他の態様に従って、複合材料から成り、引き抜き成形プロセスによって形成されるるジャッキスタンドポストが提供され、複合材料は、ポストの周りに巻き付いて圧縮強度を高める強化繊維を含み、強化繊維は、ポストに沿って時計方向と反時計方向に別々に巻き付いて、圧縮強度を更に改善する。
【００１９】
本発明の他の態様に従って、ジャッキスタンドを製造する方法が提供され、該方法は加熱されたダイ中で繊維及び液体ポリマー樹脂材料を引き抜いて、複合材料からポストを形成するステップを含み、
形成するステップは、強化繊維をポストの周りに巻き付けて圧縮強度を改善するステップを含む。強化繊維はポストに沿って時計方向と反時計方向に別々に巻き付いて、圧縮強度を更に改善する。
【００２０】
形成するステップは、マッティング材を導入して、複合材料の繊維をポストに沿った長手方向以外の方向に整列させて圧縮強度を向上させるステップを含む。
【００２１】
本明細書に記載された特徴のいずれかは、本発明の範囲内で本明細書に記載される任意の１つ以上の他の特徴と任意で組み合わせることができる。
【図面の簡単な説明】
【００２２】
本発明の好ましい特徴、実施形態および変形は、当業者が本発明を実施するのに十分な情報を提供する以下の詳細な説明から明らかになるであろう。発明を実施するための最良の形態は、本発明の前述の要旨の範囲を決して限定するものではない。詳細な説明は、以下のような多数の図面を参照する。
【図１】図１は、本発明の一実施形態による１２トンのジャッキスタンドの斜視図である
【図２】図２は、図１のジャッキスタンドの断面斜視図である。
【図３】図３は、本発明の別の実施形態による３０トンのジャッキスタンドの断面斜視図である
【図４】図４は、図３のジャッキスタンドのベースの斜視上面図である。
【図５】図５は、図３のジャッキスタンドを含むジャッキスタンドアセンブリの斜視図である。
【図６】図６は、図５のジャッキスタンドアセンブリの一部の断面斜視図である。
【図７】図７は、図５のジャッキスタンドアセンブリを示す下側斜視図である。
【図８】図８は、ジャッキスタンド及びアクセサリ取付けブラケットの斜視図である。
【発明を実施するための形態】
【００２３】
本発明の一実施形態に従って、図１に示すように、産業用の頑丈な１２トン(１２トン)のジャッキスタンド100が提供されている。スタンド100は、地面に置くためのベース102を含む。複合材料から成るポスト104が設けられ、該ポストはベース102から上方に延びている。ジャッキスタンド100は、ポスト104の上位に位置し、車両(負荷)と係合するための頂部106をさらに含む。
【００２４】
有利なことに、ポストは軽量（一般的にには１２kg未満）であり、人を重大な危険のリスクに晒すことなく、一人で簡単にジャッキスタンドを動かすことが出来る。ジャッキスタンドは全体的または部分的に動かされる。
【００２５】
図２に戻り、ポスト104は四角形で管状の１つの壁201を有しているが、１２トン(安全係数は３倍)を維持することはまだゆとりがある(comfortable)と評価されている。
【００２６】
ベース102はポスト104より広くて、負荷の荷重を分散して、ポストの高さに比して安定性を付与する。更に、ベース102は、無限の正方形のチャネルの形態の受け部200を規定し、ポスト104の下端を相補的に受け入れる。ベース102はまた、受け部200が延びる平坦な板202を含む。強化フィレット204は、受け部200と板202との間に延在する。
【００２７】
頂部106は、またポスト104の上端部を受け入れる受け部206を規定する。実際には、頂部106は、ポスト104をぴったりと取り付けるための環状キャップを規定する。頂部106は、車両の車軸を受け入れるための頂部の受け台208を規定する。頂部106は、車両/機械の平らな下面またはそのシャーシレール上で使用するための平坦な部分である。
【００２８】
ベース102と頂部106は、金属材料、好ましくは鋼又は合金から鋳造される。
【００２９】
ポスト104の複合材料は引き抜き成形され、ポリマー樹脂材料及び繊維を含む。複合材料はまた、圧縮強度を改善するために、ポストに沿って長手方向以外の方向で繊維を整列させるためのマッティング材(matting)を含む。複合材料は、ポストの周りに巻き付いて圧縮強度を高める強化繊維を含む。強化繊維は、圧縮強度をさらに向上させるために、ポストに沿って時計回りおよび反時計回りの両方向に別々に巻かれてもよい。前述の構造は、工業上の重い負荷に耐えるのに十分な強度の軽量のジャッキスタンド100を提供する。
【００３０】
軽量かつ強度の高い複合材料から成るポスト104を備えたジャッキスタンド100の製造方法を簡単に説明する。
【００３１】
ポスト104は、複合材料を形成する繊維およびポリマー材料を引き抜き成形することによって形成される。引き抜き成形は、連続的な成形プロセスであり、強化繊維を液体ポリマー樹脂で飽和させ、その後注意深く成形し、加熱したダイを通して引き抜き、均一な複合部品を形成する。引抜成形による部品または要素の製造は、実質的に任意の所望長さで直線状の一定の断面部分をもたらす結果となる。液体ポリマー樹脂は、加熱されたダイ中で成形前又は成形中に構造繊維のマトリックス(基質、matrix)に添加される。
【００３２】
従来の引き抜き工程は、通常、非常に長い強化繊維または編組ストランドを利用する。強化繊維は、ガラス繊維、炭素繊維又はアラミド繊維を含む。ストランドはコイル状のロール（しばしばロービングと呼ばれる）から展開され、プリフォーム、樹脂含浸および固定型のダイシステムに長手方向に引き込まれる。
【００３３】
前述の引き抜き工程によって製造された複合材料は、引張り荷重に耐えるには優れた重量特性を有するが、圧縮荷重に耐えるには重量特性に対して相対的に劣る強度を有する。これは、複合構造マトリックス内に含まれる強化繊維の例外的な引張り荷重を有する材料特性に起因する。
【００３４】
ポスト104を形成するステップは、得られるポスト104の構造繊維マトリックスに織り強化繊維のマッティング材(matting)を導入して、複合材料の繊維を細長いポスト104に沿って長手方向以外の方向に整列させ、圧縮強度を改善するステップを含む。得られる製品は、長手方向の繊維方向以外の形態を有さない製品と比較して、圧縮力に抵抗する能力が増大する。何故ならば、これらの繊維は、ある程度の引張り荷重の下に配置されるからである。マッティング材は、複合材料から成る本体内および/または表面材として導入され、引き抜き成形工程で構造繊維のマトリックスを結合および包囲する。表面材は製品の構造的能力に寄与するが、より重要なことは、完成品に対して滑らかな許容可能な仕上げが達成されることを保証することである。
【００３５】
ポスト104を形成するステップは、複合材料の周囲に強化繊維を巻き付け、圧縮強度を向上させるステップを更に含む。更なる強化繊維は、ポスト104の長手方向軸に沿って複合材料の周りに軸方向に巻き付けられ、従って縦方向繊維および織りマッティング材の周りに巻き付けられ、圧縮荷重に耐えるポスト104の能力を著しく高めることができる。
【００３６】
強化繊維は、圧縮強度をさらに向上させるために、ポスト104に沿って時計回りおよび反時計回りの両方向に別々に巻かれてもよい。巻かれた繊維は、マトリックスに撚り合わせられて、複数の負荷軸に広範囲の引張り負荷容量を提供する。
【００３７】
引き抜き繊維マトリックスへの強化繊維の巻き付けは、コイル状強化繊維ロービング(rovings)を保持する大きな回転フレームを用いて行うことができる。各ロービングは、長手方向の引き抜き工程の流量に対して所望の回転速度で回転し、回転方向に回転して、所望の軸方向の巻き繊維および繊維構造の密度を達成する。連続的に回転するフレームは、巻き繊維の異なる向きを達成するために逆回転することができる。
【００３８】
このような方法で製造された複合材料の製品は、このような方法で製造されていない従来の製造された製品と比較して、圧縮荷重に耐える能力が実質的に改善される。このような製品は、円形、四角形、長方形または角形を含み、寸法が異なる任意の形状であり得る。
【００３９】
適切なレベルの圧縮負荷抵抗性を達成することができる引き抜き成形による複合材料の製品の製造は、耐負荷容量に比した軽量製品の固有の性質を考慮すると、工業上の使用の重要な機会を付与する。既存の鋼または合金製品と比較した場合、引抜成形された複合材料の製品を主たる負荷支持要素として組み込むことは、大きな利点を提供し得る。
【００４０】
本発明の他の実施形態に従って、図３に示すように、工業用の頑丈な３０トン（３０トン）用のジャッキスタンド300が設けられている。軽量のジャッキスタンド300は図１のジャッキスタンド100と同様の構造である。
【００４１】
しかし、直立したポスト302は、２つの壁304,306を有し、30トンまで安全に評価される（３倍の安全係数で）。特に、ポストは、円形（即ち、湾曲した）内壁304および四角形（即ち、矩形）の外壁306を含む。壁304,306は、それらの長さに沿って一緒に結合される。有利なことに、ポスト104は軽量（一般的には１５kg未満）であるので、ジャッキスタンド100は依然として便利なことに一人の人間によって移動することができる。
【００４２】
図４は、ジャッキスタンド300のベース400を示す。ベース400は、円形の内壁404および四角形の外壁406を有する受け部402を規定し、ポスト302と相補的な嵌合を形成する。ポストの壁304,306は、受け部の壁404,406間にぴったりと嵌る。
【００４３】
図５には、一対のジャッキスタンド300を含むジャッキスタンドアセンブリ500が示される。各ジャッキスタンドは、ポスト302に固定されたハンドル502を含む。ジャッキスタンドアセンブリ500は、各ジャッキスタンド300の頂部から延びる２つの調整可能で伸長可能な直立材504を含む。プラットフォームアクセサリ506は、直立材504によって支持される。
【００４４】
各直立材504は、全長を調整するために互いに対して摺動することができる一対のチューブ508a、508bを含む。アセンブリ500は、チューブ508a、508bを一定の長さで一緒に締結するためのねじ留め具510をさらに含む。
【００４５】
図６に最もよく見られるように、直立材504はジャッキスタンド300のポスト302に受け入れられる。アセンブリ500は、スタンド300のベース400に管状の直立材504を締結するための底部締結装置600をさらに含む。締結装置600は、ベース400に挿入するための保持部602を含む（図７参照）。
締結装置600はまた、保持部602を通り抜けて、直立材504の床ねじに係合するためのねじ付きねじ締結具604を含む。保持部602は、１つまたは複数の隆起がベース400内に延びる板を含む。直立材504は、床ねじを規定する床606を含む。
【００４６】
アセンブリ500は、スタンド300内の直立材504の回転を阻止する回転防止部608をさらに含む。回転防止部608は、スタンド300及び直立材504を貫通するピンを含む。カラー610が直立材504を取り囲み、ジャッキスタンドの頂部106に当接するためのストッパを形成する。
【００４７】
図８は、ジャッキスタンド300を、スタンド300と共に使用され得る様々なアクセサリとともに取り付けるためのスタンド取り付けブラケット800を示している。１つのアクセサリ506は、ケーブルまたはホースを支持するためのプラットフォームを含む。他のアクセサリ802は、切断機に供給される金属ストリップ材料を支持するための１つ以上のローラを含む。さらに別のアクセサリ804は、ボートの船体を保持するための一対の傾斜したローラを含むボートホルダを含む。各付属品は、直立材504に固定するための底部締結受け部806を含む。
【００４８】
ジャッキスタンドアセンブリ500は同様にジャッキスタンド100を使用して形成される。
【００４９】
当業者であれば、本発明の範囲から逸脱することなく、多くの実施形態および変形が可能であることを理解するであろう。
【００５０】
法律に従って、本発明は、構造的または組織的特徴に多かれ少なかれ特定の言語で記載されている。本明細書に記載された手段は、本発明を実施する好ましい形態を含むので、本発明は図示または記載された特定の特徴に限定されないことを理解されたい。
【００５１】
本明細書を通して、「一実施形態」または「実施形態」は、実施形態に関連して説明される特定の特徴、構造、または特性が本発明の少なくとも１つの実施形態に含まれることを意味する。このように、本明細書を通して様々な場所で「一実施形態では」または「実施形態で」という表現の出現は必ずしもすべて同じ実施形態を指しているわけではない。さらに、特定の特徴、構造、または特性は、１つまたは複数の組み合わせで任意の適切な方法で組み合わせることができる。
【手続補正２】
【補正対象書類名】特許請求の範囲
【補正対象項目名】全文
【補正方法】変更
【補正の内容】
【特許請求の範囲】
【請求項１】
ベースと、
複合材料から成り、引き抜き成形法にて成形されて、ベースから延び、複合材料は、ポストの周りに巻き付いて圧縮強度を高める強化繊維を含み、強化繊維は、ポストに沿って時計方向と反時計方向に別々に巻き付いて、圧縮強度を更に改善するポストと、
ポストの上位にあり負荷と係合するための頂部とを含む、ジャッキスタンド。
【請求項２】
ポストは１２kg未満であり、人を重大な危険のリスクに晒すことなく、一人で簡単に動かすことが出来る、請求項１に記載のジャッキスタンド。
【請求項３】
部分的に動かすことが可能な、請求項１に記載のジャッキスタンド。
【請求項４】
複合材料は、高分子樹脂及び繊維を含む、請求項１に記載のジャッキスタンド。
【請求項５】
繊維は、１以上のガラス繊維、炭素繊維及びアラミド繊維を含む、請求項４に記載のジャッキスタンド。
【請求項６】
複合材料は、繊維をポストに沿って長手方向以外の方向に整列させ、圧縮強度を改善するためのマッティング材を含む、請求項１に記載のジャッキスタンド。
【請求項７】
ポストは管状である、請求項１に記載のジャッキスタンド。
【請求項８】
ポストは、少なくとも１２トン又は３０トンまで耐えると見積られる、請求項１に記載のジャッキスタンド。
【請求項９】
ポストは１つの壁又は互いに結合される２つ以上の壁を有する、請求項１に記載のジャッキスタンド。
【請求項１０】
ポストは、湾曲した壁及び四角形の壁を含む、請求項１に記載のジャッキスタンド。
【請求項１１】
ベースはポストより広くて、負荷の荷重を分散する、請求項１に記載のジャッキスタンド。
【請求項１２】
ベースはポストを受け入れるための受け部を規定する、請求項１に記載のジャッキスタンド。
【請求項１３】
受け部は異なる形状の外壁及び内壁を含み、ポストと相補的な嵌合を形成する、請求項１２に記載のジャッキスタンド。
【請求項１４】
ベースはそこから受け部が延びる板を含む、請求項１３に記載のジャッキスタンド。
【請求項１５】
ベースは、受け部と板との間に延びる１つ以上の強化フィレットを更に含む、請求項１４に記載のジャッキスタンド。
【請求項１６】
頂部はポストを受け入れるための受け部を規定する、請求項１に記載のジャッキスタンド。
【請求項１７】
頂部は、負荷を受け且つ負荷に接する受け台を規定する、請求項１に記載のジャッキスタンド。
【請求項１８】
頂部は、ポストを捕捉するためのキャップを含むことができる、請求項１に記載のジャッキスタンド。
【請求項１９】
ベース及び/又は頂部は、鋼又は合金が好ましい金属材料を含む、請求項１に記載のジャッキスタンド。
【請求項２０】
更に、ポストに固定されるハンドルを含む、請求項１に記載のジャッキスタンド。
【請求項２１】
ジャッキスタンドアセンブリであって、
請求項１に記載された少なくとも１つのジャッキスタンドと、
各ジャッキスタンドから上向きに延びる少なくとも１つの直立材と、
該直立材によって支持されたアクセサリを含む、ジャッキスタンドアセンブリ。
【請求項２２】
直立材は長さが調整可能である、請求項２１に記載のジャッキスタンドアセンブリ。
【請求項２３】
直立材は、ジャッキスタンドのポストに受け入れられる、請求項２１に記載のジャッキスタンドアセンブリ。
【請求項２４】
更に、ジャッキスタンドのベースに直立材を締結するための締結装置を含む、請求項２１に記載のジャッキスタンドアセンブリ。
【請求項２５】
ジャッキスタンドに対する直立材の回転を阻止するための回転防止具を含む、請求項２１に記載のジャッキスタンドアセンブリ。
【請求項２６】
アクセサリは、プラットフォーム、ローラ、ホルダの何れか１つを含む、請求項２１に記載のジャッキスタンドアセンブリ。
【請求項２７】
引き抜き成形法にて成形される複合材料から成り、複合材料は、ポストの周りに巻き付いて圧縮強度を高める強化繊維を含み、
強化繊維は、ポストに沿って時計方向と反時計方向に別々に巻き付いて、圧縮強度を更に改善する、ジャッキスタンド。
【請求項２８】
ジャッキスタンドを製造する方法であって、
加熱されたダイ中で繊維及び液体ポリマー樹脂材料を引き抜くことにより、複合材料から成るポストを形成するステップを含み、
形成するステップは、強化繊維をポストの周りに巻き付けて圧縮強度を改善するステップを含み、
強化繊維はポストに沿って時計方向と反時計方向に別々に巻き付いて、圧縮強度を更に改善する、方法。
【請求項２９】
形成するステップは、マッティング材を導入して、複合材料の繊維をポストに沿った長手方向以外の方向に整列させて圧縮強度を向上させる、請求項２８に記載の方法。
【国際調査報告】
2019513660.tif 000011
2019513660.tif 000012
2019513660.tif 000013
2019513660.tif 000014
2019513660.tif 000015
2019513660.tif 000016